(57)【要約】【課題】何もないはずの空間に立体的な物体が出現したように見せる物体出現トリック手品を、当該物体の出現する空間を観者に見せつつ演じることができる手品具を提供する。【解決手段】複数の水平な縞１１ａからなる横縞模様の背景１１を表示する部材であり且つ手品を開始するに際し観者側から見えないようにその背後に物体４０を隠しておくための部材である背景部材１０と、物体４０の出現する空間を形成するべく背景部材１０と観者との間に置かれる箱２０とを有する。箱２０は、その前板部２１が、背景１１の像と背景１１の前に置かれた物体４０の像を水平方向に拡散させるレンチキュラーレンズからなる。このレンチキュラーレンズを通して箱２０の中を観者に見せることにより背景１１は見えるが背景１１の前に存在する物体４０は見えない状態とし、この状態にて箱２０を取り外すことにより物体４０の出現を演出するように構成した。【選択図】図２
2012061218.tif 000002
【特許請求の範囲】
【請求項１】
何もないはずの空間に物体が出現したように見せる物体出現トリック手品を演じるための手品具であって、
観者に対面して複数の水平な縞からなる横縞模様の背景を表示する部材であり且つ手品を開始するに際し観者側から見えないようにその背後に前記物体を隠しておくための部材である背景部材と、
前記物体の出現する空間を形成するべく前記背景部材と観者との間に置かれる箱とを有し、
前記箱は、前記背景の像と前記背景の前に置かれた前記物体の像を水平方向に拡散させるレンチキュラーレンズからなる部分を有し、
前記レンチキュラーレンズを通して前記箱の中を観者に見せることにより前記背景は見えるが前記背景の前に存在する前記物体は見えない状態とし、この状態にて前記箱を取り外すことにより前記物体の出現を演出するように構成したことを特徴とする、物体出現トリック手品具。
【請求項２】
前記箱は、
観者に対面する前板部と、当該前板部の左右両側縁から屈曲して前記背景部材側に延びる左右一対の側板部と、当該前板部の上縁から屈曲して前記背景部材側に延びる天板部とを有し、且つ、少なくとも前記背景部材側の端部が開口した矩形状の箱であり、
前記前板部と前記側板部と前記天板部のうち、少なくとも前記前板部は前記レンチキュラーレンズからなり、前記側板部と前記天板部は前記レンチキュラーレンズまたは不透明の部材からなる、請求項１記載の物体出現トリック手品具。
【請求項３】
前記縞の色は、前記物体の色と同系色である、請求項１又は２記載の物体出現トリック手品具。
【請求項４】
前記物体、前記背景部材、及び前記箱を載置するステージ部材を有し、
当該ステージ部材は、前記背景部材の下端部と嵌合して前記背景部材を略直立した姿勢に保持する溝を有する、請求項１乃至３の何れかに記載の物体出現トリック手品具。
【発明の詳細な説明】
【技術分野】
【０００１】
本発明は、何もないはずの空間に物体が出現したように見せる物体出現トリック手品を演じるための手品具に関するものである。
【背景技術】
【０００２】
この種の手品具として、何も入っていないはずの不透明の箱の中に物体が出現したりあるいはその箱の中に入っているはずの物体が消失したりしたように見せる物体出現消失トリック手品具（特許文献１）、不透明のケースの中に物体を挿通させたときに、その物体の中間部が恰も消失したかのように見せる消失トリック手品具（特許文献２）、横縞模様の背景の中央部に人物などを摸した平面的な物体を配置したプレートを不透明な箱の奥部に配置し、その箱の前面の開口部に設けたレンチキュラーレンズシートのスクリーンを通して箱の中を観察させることにより、存在していたはずの物体が恰も消失したかのように見せる消失トリック手品具（特許文献３）、などが知られている。
【先行技術文献】
【特許文献】
【０００３】
【特許文献１】特開２００４−０９７３４７号公報
【特許文献２】特開平０９−０２８９４０号公報
【特許文献３】米国特許明細書第６，６２３，３６６号
【発明の開示】
【発明が解決しようとする課題】
【０００４】
特許文献１及び特許文献２の手品具は、不透明な箱またはケースのカバーが閉じられてその中が見えない状態から、カバーを開けて箱またはケースの中が見える状態になったときに、物体が出現あるいは消失するトリック手品具であるため、箱またはケースの中が見えなくなっている間に何らかの仕掛けが働いたのだろうという印象を観者に与えてしまい、手品の不思議さや面白さを減じてしまう。
【０００５】
一方、特許文献３の手品具によれば、スクリーンを通して箱の中が見えている状態のまま、その箱の中に存在していた物体が消失したように見せることができるため、箱の中に仕掛けがないと観者に印象付けて不思議さを与えることができる。
【０００６】
しかし、特許文献３の手品具では、手品を演じる過程で、箱の中をスクリーンを通して間接的にしか見せることができないため、何らかの錯視によるトリックであるとの印象を観者に与えてしまい、物体が消失したことによる強い驚きを観者に与えることは難しい。
【０００７】
本発明が解決しようとする課題は、何もないはずの空間に物体が出現したように見せる物体出現トリック手品を、当該物体の出現する空間を観者に見せつつ演じることができ、しかも、当該手品を演じる過程で、当該物体の出現する空間を何も通さず直接観者に見せることができる新規な手品具を提供することにある。
【課題を解決するための手段】
【０００８】
上記課題を解決するために、本発明の物体出現トリック手品具（以下、単に「手品具」と記す。）は、何もないはずの空間に物体が出現したように見せる物体出現トリック手品を演じるための手品具であって、
観者に対面して複数の水平な縞からなる横縞模様の背景を表示する部材であり且つ手品を開始するに際し観者側から見えないようにその背後に前記物体を隠しておくための部材である背景部材と、
前記物体の出現する空間を形成するべく前記背景部材と観者との間に置かれる箱とを有し、
前記箱は、前記背景の像と前記背景の前に置かれた前記物体の像を水平方向に拡散させるレンチキュラーレンズからなる部分を有し、
前記レンチキュラーレンズを通して前記箱の中を観者に見せることにより前記背景は見えるが前記背景の前に存在する前記物体は見えない状態とし、この状態にて前記箱を取り外すことにより前記物体の出現を演出するように構成したことを特徴とする。
【０００９】
本発明の手品具によれば、手品を開始するに際し、前記物体を観者側から見えないように前記背景部材の背後に隠しておくことにより、前記物体の出現する空間となる前記箱の中を何も通さずに直接観者に見せることができる。そして、前記箱の中を直接観者に見せた後、前記背景部材の前に前記箱を置き、前記レンチキュラーレンズを通して前記箱の中を観者に見せつつ、前記背景部材で押し込むなどして前記箱の中に前記物体を配置し、前記箱を取り外すことにより、何もないはずの空間である前記箱の中に前記物体が出現したように見せる物体出現トリック手品を演じることができる。
【００１０】
本発明の手品具において、
前記箱は、
観者に対面する前板部と、当該前板部の左右両側縁から屈曲して前記背景部材側に延びる左右一対の側板部と、当該前板部の上縁から屈曲して前記背景部材側に延びる天板部とを有し、少なくとも前記背景部材側の端部が開口した矩形状の箱であり、
前記前板部と前記側板部と前記天板部のうち、少なくとも前記前板部は前記レンチキュラーレンズからなり、前記側板部と前記天板部は前記レンチキュラーレンズまたは不透明の部材からなることが望ましい。
【００１１】
前記縞の色は、前記物体の色と同系色であることが望ましい。
【００１２】
更に、ステージ部材を有し、
当該ステージ部材は、その平坦な上面に、前記背景部材の下端部と嵌合して前記背景部材を略直立した姿勢に保持する溝を有することが望ましい。
【発明の効果】
【００１３】
本発明の手品具によれば、何もないはずの空間である箱の中に物体が出現したように見せる物体出現トリック手品を、当該箱の中を観者に見せつつ演じることができる。しかも、手品を演じる過程で、当該箱の中を何も通さずに直接観者に見せることができるので、何も仕掛けがないと観者に印象付けて、物体が出現したことによる強い驚きと不思議さを観者に与えることができる。
【図面の簡単な説明】
【００１４】
【図１】本発明の手品具の各構成要素の形態例を示す斜視図
【図２】図１に示す手品具を用いて演じられる手品の現象を例示する斜視図
【図３】図１に示す手品具の一態様を示す斜視図
【図４】図１示す手品具の一つの構成要素である背景部材の構造を例示する斜視図
【図５】図１に示す手品具の一態様を示す斜視図
【図６】図１示す手品具の一つの構成要素である箱の構造を例示する分解斜視図
【図７】図１に示す手品具を用いて演じられる手品の準備手順の説明図
【図８】図７に続く準備手順の説明図
【図９】図１に示す手品具を用いて演じられる手品の実演手順の説明図
【図１０】図９に続く実演手順の説明図
【図１１】図１０に続く実演手順の説明図
【図１２】図１１に続く実演手順の説明図
【図１３】図１２に続く実演手順の説明図
【図１４】図１３に続く実演手順の説明図
【図１５】図１４に続く実演手順の説明図
【発明を実施するための形態】
【００１５】
以下、本発明の実施形態につき添付図面を参照して説明する。
この実施形態の手品具は、図１に示すように、（ａ）背景部材１０と、（ｂ）箱２０と、（ｃ）ステージ部材３０と、（ｄ）物体４０とで構成される。そして、これらを使用することにより、図２に示すように、（ａ）何もないはずの空間である箱２０の中に、（ｂ）物体４０が出現したように見せる、物体出現トリック手品を演じるものである。
【００１６】
背景部材１０は、観者に対面して複数の水平な縞１１ａからなる横縞模様の背景１１を表示する構成要素であり、図３に示すようにステージ部材３０上に直立させて設けられる。背景部材１０は、図４に示すように、上下に等間隔に設けられた複数の水平なスリット１２ａを有する前板１２と、スリットのない後板１３とを重ね合わせ、両板１２、１３の間に色紙１４を差し込んで構成されている。前板１２及び後板１３は、プラスチック製の白色の部材である。スリット１２ａを通して見える色紙１４の部分によって縞１１ａが表現される。また、背景部材１０は、手品を開始するに際し、図７のように、観者側から見えないようにその背後に物体４０を隠しておくための部材でもある。
【００１７】
箱２０は、物体４０の出現する空間を形成するべく、背景部材１０と観者との間に置かれる構成要素であり、図５に示すように、背景部材１０による背景１１の一部と重なるようにしてステージ部材３０上に置かれる。
【００１８】
箱２０は、観者に対面する前板部２１と、前板部２１の左右両側縁から略直角に屈曲して背景部材１０側に延びる左右一対の側板部２２Ｌ、２２Ｒと、前板部２１の上縁から略直角に屈曲して背景部材１０側に延びる天板部２３とを有する矩形状の箱である。箱２０の底部と背景部材１０側の端部は開口している。箱２０の下端には、前板部２１及び側板部２２Ｌ、２２Ｒの下縁を縁取るようにしてコ字形の下枠２４が設けられている。箱２０の後端には、天板部２３及び側板部２２Ｌ、２２Ｒの後縁を縁取るようにしてコ字形の後枠２５が設けられている。
【００１９】
箱２０は、図６に示すように、前板部２１、側板部２２Ｌ、２２Ｒ及び天板部２３からなる凸字形状の一枚のレンチキュラーレンズシートＷＳを、図中の一点鎖線に沿って同方向に略直角に折り曲げて、二点鎖線で示すように箱状に成形したものに、下枠２４と後枠２５を取り付けることにより製造される。下枠２４及び後枠２５は、プラスチック製の白色の部材である。
【００２０】
ステージ部材３０は、矩形平板状のプラスチック製の白色の部材であり、その平坦な上面３０Ｓに、背景部材１０の下端部と嵌合して背景部材１０を略直立した姿勢に保持する溝３１と、箱２０を溝３１に掛からないように且つ溝３１の縁に沿わせて設置するための位置決め用の第１〜第３の突起部３２ａ、３２ｂ、３２ｃとを有する。
これらの突起部３２ａ、３２ｂ、３２ｃのうち、第１の突起部３２ａはステージ部材３０の上面３０Ｓの前縁部中央に設けられており、第２及び第３の突起部３２ｂ、３２ｃは第１の突起部３２ａよりも若干溝３１寄りの位置に設けられている。そして、第１の突起部３２ａと第２及び第３の突起部３２ｂ、３２ｃとの間に下枠２４を嵌合させることにより、箱２０の前後方向の位置が定まるとともに、箱２０の水平方向への移動及び回動が一定の範囲に制限されるようになっている。
【００２１】
物体４０は、台座４１と、台座４１の上面に固定されたフィギュア（女神像）４１とからなる。台座４１は、四角錐台形状のプラスチック製の白色の部材であり、ステージ部材３０上を溝３１を超えて前後に摺動可能である。台座４１の底部には、図示しない鉄製の円板が埋設されている。背景部材１０の縞１１ａの色は、フィギュア４２の色と同系色である。
【００２２】
ステージ部材３０の内部には、溝３１を挟んで前後に位置する第１位置Ｐ１及び第２位置Ｐ２に、円形の永久磁石（台座保持手段）３２-1、３２-2が設けられている。永久磁石３２-1、３２-2は、台座４１の底部に埋設されている鉄製の円板との間に発生する磁気的引力により台座４１を引き付ける。これにより、台座４１は第１位置Ｐ１または第２位置Ｐ２に引き付けられて保持される。第１位置Ｐ１の永久磁石３２-1の径寸法は、第２位置Ｐ２の永久磁石３２-2の径寸法の略２倍の寸法に選定されている。これは、第１位置Ｐ１に物体４０を２個並べて保持できるようにするためである。
【００２３】
以下、この手品具を用いて手品を実演する手順について、図７乃至図１５を用いて説明する。
【００２４】
手品を実演する前の準備として演者は、まず図７のように、物体４０の上端部分すなわちこの例では女神像４２の右手部分を右手の親指で押さえて背景部材１０の裏側に隠し持つ。次に、図８のようにステージ部材３０を左手に持つ。箱２０は、演者と観者との間のテーブルの上に置いておく。
【００２５】
そして、実演において、演者は先ず、物体４０が観者に見えないようにして、図９のように背景部材１０とステージ部材３０を観者に見せる。
次に演者は、図１０のように、背景部材１０を横にしてステージ部材３０の溝３１に嵌め込む。同時に右手の親指で物体４０を押して台座４１を第１位置Ｐ１に付ける。そして、背景部材１０及び物体４０から右手を放す。
物体４０は第１位置Ｐ１の永久磁石３２-1の磁力で台座４１が保持されているため、手を放しても落下しない。このことにより、背景部材１０の裏に物体４０が隠されていることを観者に想像させないようにすることができる。
【００２６】
次に演者は、図１１のように、ステージ部材３０を左手の上に置くように持ち方を変える。そして、右手で箱２０を取り上げ、図１２のように背景部材１０の前に置く。その際、一旦箱２０の裏側を観者側へ向けて、箱２０の中を観者に直接見せることにより、箱２０に仕掛けがないという印象を観者に与えることができる。ここから先の実演は、観者の目の高さ程度の位置にステージ部材３０を持ち、箱２０の中を正面から観者に見せながら行う。
【００２７】
次に演者は、右手で背景部材１０の下側の部分を持ち、図１３のようにステージ部材３０から背景部材１０を取り外して、背景部材１０の裏側を観者に見せる。
この状態においても、観者側からは物体４０は見えない。箱２０の前板部２１を構成するレンチキュラーレンズと物体４０との距離がレンチキュラーレンズの焦点距離よりも十分に大きいため、物体４０の像が水平方向に完全に拡散されるためである。
【００２８】
次に演者は、背景部材１０をステージ部材３０上に戻す。その際、図１４のように、背景部材１０の下部で物体４０の台座４１を押すことにより、ステージ部材３０上を滑らせながら物体４０を箱２０の中に押し込む。物体４０は、溝３１を超えて第２位置Ｐ２に移動し永久磁石３２-2の磁力でステージ部材３０上に保持される。
この状態においても、観者側からは箱２０の中に何も入っていないように見える。箱２０の前板部２１を構成するレンチキュラーレンズによって、横縞模様の背景１１の像と背景１１の前に置かれた物体４０の像が水平方向に拡散されるためである。すなわち、横縞模様の背景１１の像は水平方向に拡散されてもそのまま横縞模様の背景１１として視認できるのに対し、物体４０の像は水平方向に拡散されることによりほとんど見えなくなり、加えて、縞１１ａの色がフィギュア４２の色と同系色であり、台座４１と背景部材１０の前板１２の色が共に白色であるため、物体４０の像が横縞模様の背景１１の像に完全にとけ込み、横縞模様の背景１１だけが見える状態が作り出される。
【００２９】
最後に、演者は、図１５のように観者に正面から箱２０の中を見せながら、箱２０を右手でゆっくりと真上に持ち上げていく。すると、観者側からは、何も入っていないはずの箱２０の中から物体４０が徐々に現れてくるように見える。
【００３０】
このように、この実施形態の手品具によれば、手品を開始するに際し、箱２０によってカバーされるべき空間をいったん、レンチキュラーレンズを通さず直接観者に見せることにより、その空間に何もないと観者に印象付けることができる。そして、背景部材１０の前に箱２０を置き、箱２０の前板部２１を構成するレンチキュラーレンズを通して箱２０の中を観者に見せつつ、背景部材１０で押し込むようにして箱２０の中に物体４０を配置することにより、背景１１は見えるが背景１１の前に存在する物体４０は見えない状態とし、この状態で箱２０を取り外すことにより物体４０の出現を演出することができるので、何もないはずの空間である箱２０の中に立体的な物体４０が出現したように見せる物体出現トリック手品を、箱２０の中を観者に見せつつ演じることができる。箱２０の中をレンチキュラーレンズを通さず直接観者に見せた後、箱２０の中をレンチキュラーレンズを通して観者に見せながら手品を演じることにより、何も仕掛けがないと観者に印象付けて、物体４０が出現したことによる強い驚きと不可思議さを観者に与えることができる。
【００３１】
また、この実施形態の手品具によれば、背景部材１０の色紙１４を取り替えることにより任意の色の縞１１ａからなる横縞模様の背景１１を表現することができる。したがって、色の異なる複数種類のフィギュア４２を使用する場合でも、それぞれのフィギュア４２の色と同系色の色紙１４に取り替えることにより、レンチキュラーレンズによる像の拡散効果を利用した物体出現トリック手品を常に効果的に演じることができる。
【００３２】
なお、本発明は上記実施形態に限定されない。
たとえば、上記の例では、箱２０の前板部２１のみならず、側板部２２Ｌ、２２Ｒ及び天板部２３もレンチキュラーレンズで構成されているが、側板部２２Ｌ、２２Ｒ及び天板部２３をレンチキュラーレンズで構成することは必須ではない。側板部２２Ｌ、２２Ｒ及び天板部２３は不透明でもよいし、これらの一部をレンチキュラーレンズで構成してもよい。
【００３３】
また、上記の例では、物体４０が台座４１とフィギュア４２とで構成されているが、フィギュア４２それ自体がステージ部材３０上に自立可能なものであるならば、台座４１は必要ない。
また、上記の例では、ステージ部材３０に内蔵した永久磁石３２-1、３２-2の磁力によって台座４１内の鉄製の部材を引き付けることにより、台座４１をステージ部材３０上の第１位置Ｐ１及び第２位置Ｐ１に保持するように構成したが、これとは逆に、ステージ部材３０の第１位置Ｐ１及び第２位置Ｐ２に鉄製の部材を設け、台座４１に永久磁石を設けてもよい。
【符号の説明】
【００３４】
１０  背景部材
１１  背景
１１ａ  縞
２０  箱
２１  前板部
２２Ｌ、２２Ｒ  側板部
２３  天板部
３０  ステージ部材
３１  溝
４０  物体
Ｐ１  第１位置
Ｐ２  第２位置
ＷＳ  レンチキュラーレンズシート
【図１】
2012061218.tif 000003
【図２】
2012061218.tif 000004
【図３】
2012061218.tif 000005
【図４】
2012061218.tif 000006
【図５】
2012061218.tif 000007
【図６】
2012061218.tif 000008
【図７】
2012061218.tif 000009
【図８】
2012061218.tif 000010
【図９】
2012061218.tif 000011
【図１０】
2012061218.tif 000012
【図１１】
2012061218.tif 000013
【図１２】
2012061218.tif 000014
【図１３】
2012061218.tif 000015
【図１４】
2012061218.tif 000016
【図１５】
2012061218.tif 000017